(57)【要約】【課題】受信側の装置に記憶された送信者の識別情報を、送信側からの削除要求に基づいて削除することができる情報削除システムを提供する。【解決手段】送信装置８０は、送信者を識別する送信者識別情報を送信情報に含めて送信し、受信装置９０は、送信情報を受信する。削除要求情報生成手段８１は、受信装置９０に記憶された送信者識別情報の削除を要求する削除要求情報を生成する。第１送信手段８２は、受信装置９０に対して削除要求情報を送信する。記憶手段９１は、受信した送信情報とは別に送信者識別情報を記憶する。削除手段９２は、送信者識別情報の削除を指示する削除指示情報を受信したときに、記憶手段９１に記憶された送信者識別情報を削除する。【選択図】図６
2010049617.tif 000002
【特許請求の範囲】
【請求項１】
送信者を識別する送信者識別情報を送信情報に含めて送信する送信装置と、
前記送信情報を受信する受信装置とを備え、
前記受信装置は、
受信した送信情報とは別に前記送信者識別情報を記憶する記憶手段と、
前記送信者識別情報の削除を指示する削除指示情報を受信したときに、前記記憶手段に記憶された当該送信者識別情報を削除する削除手段とを備え、
前記送信装置は、
前記受信装置に記憶された送信者識別情報の削除を要求する削除要求情報を生成する削除要求情報生成手段と、
前記削除要求情報を受信装置に対して送信する第１送信手段とを備えた
ことを特徴とする情報削除システム。
【請求項２】
受信装置は、
記憶手段に記憶された送信者識別情報を削除したときに、削除結果を示す削除結果情報を送信装置に対して送信する第２送信手段を備えた
請求項１記載の情報削除システム。
【請求項３】
送信装置から受信した送信情報を受信装置に送信する中継装置を備え、
前記中継装置は、
送信情報に削除要求情報が含まれているときに、削除指示情報を生成する削除指示情報生成手段と、
前記削除指示情報を受信装置に対して送信する第３送信手段とを備えた
請求項１または請求項２に記載の情報削除システム。
【請求項４】
削除要求情報および削除指示情報は制御信号である
請求項１から請求項３のいずれか１項に記載の情報削除システム。
【請求項５】
送信装置および受信装置は電話機である
請求項１から請求項４のいずれか１項に記載の情報削除システム。
【請求項６】
送信者を識別する送信者識別情報を送信情報に含めて送信する送信装置から、送信情報を受信する受信装置であって、
前記送信情報とは別に前記送信者識別情報を記憶する記憶手段と、
前記送信者識別情報の削除を指示する削除指示情報を受信したときに、前記記憶手段に記憶された当該送信者識別情報を削除する削除手段とを備えた
ことを特徴とする受信装置。
【請求項７】
記憶手段に記憶された送信者識別情報を削除したときに、削除結果を示す削除結果情報を送信装置に対して送信する送信手段を備えた
請求項６記載の受信装置。
【請求項８】
送信者を識別する送信者識別情報を送信情報に含めて送信する送信装置であって、
前記送信情報とは別に当該送信者識別情報を記憶する受信装置に対し、当該送信者識別情報の削除を要求する削除要求情報を生成する削除要求情報生成手段と、
前記削除要求情報を受信装置に対して送信する送信手段とを備えた
ことを特徴とする送信装置。
【請求項９】
送信者を識別する送信者識別情報を送信情報に含めて送信する送信装置から、送信情報を受信する受信装置に送信情報を中継する中継装置であって、
前記送信装置から送信者識別情報の削除を要求する削除要求情報を受信したときに、受信した送信情報とは別に送信者識別情報を記憶する前記受信装置に記憶された当該送信者識別情報の削除を指示する削除指示情報を生成する削除指示情報生成手段と、
前記削除指示情報を前記受信装置に送信する送信手段とを備えた
ことを特徴とする中継装置。
【請求項１０】
送信者を識別する送信者識別情報を送信情報に含めて送信する送信装置が、
送信情報とは別に送信者識別情報を記憶する受信装置に対し、送信者識別情報の削除を要求する削除要求情報を生成し、
前記削除要求情報を送信し、
前記受信装置が、
前記送信者識別情報の削除を指示する削除指示情報を受信したときに、記憶する当該送信者識別情報を削除する
ことを特徴とする情報削除方法。
【請求項１１】
受信装置が、
記憶する送信者識別情報を削除したときに、削除結果を示す削除結果情報を送信装置に対して送信する
請求項１０記載の情報削除方法。
【請求項１２】
送信者を識別する送信者識別情報を含む送信情報を受信するコンピュータに搭載される受信装置用プログラムであって、
前記コンピュータに、
送信者を識別する送信者識別情報の削除を指示する削除指示情報を受信したときに、送信情報とは別に前記送信者識別情報を記憶する記憶手段から、当該送信者識別情報を削除する削除処理
を実行させるための受信装置用プログラム。
【請求項１３】
コンピュータに、
送信者識別情報を削除したときに、削除結果を示す削除結果情報を送信する送信処理を実行させる
請求項１２記載の受信装置用プログラム。
【請求項１４】
送信者を識別する送信者識別情報を送信情報に含めて送信するコンピュータに搭載される送信装置用プログラムであって、
前記コンピュータに、
送信情報とは別に送信者を識別する送信者識別情報を記憶する受信装置に対し、当該送信者識別情報の削除を要求する削除要求情報を作成する削除要求情報生成処理、および、
前記削除要求情報を送信する送信処理
を実行させるための送信装置用プログラム。
【請求項１５】
送信者を識別する送信者識別情報を送信情報に含めて送信する送信装置から、送信情報を受信する受信装置に送信情報を中継するコンピュータに搭載される中継装置用プログラムであって、
前記コンピュータに、
前記送信装置から送信者識別情報の削除を要求する削除要求情報を受信したときに、受信した送信情報とは別に送信者識別情報を記憶する前記受信装置に記憶された当該送信者識別情報の削除を指示する削除指示情報を生成する削除指示情報生成処理、および、
前記削除指示情報を前記受信装置に送信する送信処理
を実行させるための中継装置用プログラム。
【発明の詳細な説明】
【技術分野】
【０００１】
本発明は、受信装置に記憶された送信者の識別情報を削除する情報削除システム、およびその情報削除システムに適用される受信装置、送信装置、中継装置、情報削除方法、受信装置用プログラム、送信装置用プログラム、中継装置用プログラムに関する。
【背景技術】
【０００２】
電話を発信した時の電話番号や、電子メールを送信した時のメールアドレスなどの送信者を識別するための情報は、受信側の電話機やメーラなどに通知され、記憶されることが多い。そのため、誤った対象者に電話を発信してしまった場合や、誤ったメールアドレスを指定してメールを送信してしまった場合でも、これらの情報が受信側の電話機やメーラに記憶されてしまうことがある。
【０００３】
上記のような誤った発信や送信（以下、誤送信という。）によって記憶された情報は、受信側にとっては不要な情報であり、送信側にとっては個人情報の漏洩の観点からも削除したい情報である。
【０００４】
そこで、すでに送信してしまった情報を受信側から削除するための方法が各種提案されている。
【０００５】
特許文献１には、誤って送信してしまったメールを削除するメールサーバプログラムが記載されている。特許文献１記載のメールサーバプログラムは、受信側端末が受信したメールのタイトルの先頭に削除メールの識別子「削除」があるかを受信側端末にチェックさせる。受信側端末が、削除メールであると判断すると、メール受信処理プログラムは、受信側端末に、受信側メールサーバにおいて添付された添付ファイルのうち、受信端末用メールプログラムに対応した削除プログラムＩＤを持った削除プログラムを起動させ、該当のメールを削除させる。
【０００６】
特許文献２には、すでに送信されている通常のメールを削除するメール削除機能付き電子メールシステムが記載されている。特許文献２記載のメール削除機能付き電子メールシステムは、受信側端末で削除要求メールを受信すると、メール受信手段がヘッダ部中のメール種別に基づいて受信したメールが削除要求メールであるか判断する。受信側端末の削除モードがオンの場合、メール受信手段は、削除要求メールに含まれるキーと同一キーの通常メールを検索する。同一キーのメールが存在した場合、受信ファイル内からその通常メールを削除し、削除要求メールを破棄する。
【０００７】
【特許文献１】特開２００３−１７４４８１号公報（段落００３６〜００４０、図６）
【特許文献２】特開平１１−２５２１６５号公報（段落００５６、図１１〜１２）
【発明の開示】
【発明が解決しようとする課題】
【０００８】
特許文献１記載のメールサーバプログラムでは、受信側端末のメール受信プログラムが受信メールに添付された削除プログラムの中から適当な削除プログラムを選択するため、受信側メールサーバは、受信側端末のメール受信プログラムで使用することが想定される削除プログラムをすべて送信する必要がある。そのため、不要なプログラムが大量に送信されることになり、回線を圧迫してしまうという課題がある。
【０００９】
また、特許文献２記載のメール削除機能付き電子メールシステムでは、メール送信手段が付加した「メール種別」をメール受信手段が参照してメールの削除を行うか判断するため、「メール種別」を付加しないメール送信手段（例えば、既存のメーラなど）によってメールが送信された場合には、メールを削除することが出来ないという課題がある。
【００１０】
また、特許文献１記載のメールサーバプログラム、および、特許文献２記載のメール削除機能付き電子メールシステムのいずれも、送信したメール自体を削除するためのものであり、メール自体とは別にメールアドレスや電話番号といった送信者の識別情報が記憶された場合に、その識別情報を削除することはできない。また、特許文献１記載のメールサーバプログラム、および、特許文献２記載のメール削除機能付き電子メールシステムのいずれも、電話の誤送信によって通知された送信側の電話番号を削除することはできない。
【００１１】
そこで、本発明は、受信側の装置に記憶された送信者の識別情報を、送信側からの削除要求に基づいて削除することができる情報削除システム、およびその情報削除システムに適用される受信装置、送信装置、中継装置、情報削除方法、受信装置用プログラム、送信装置用プログラム、中継装置用プログラムを提供することを目的とする。
【課題を解決するための手段】
【００１２】
本発明による情報削除システムは、送信者を識別する送信者識別情報を送信情報に含めて送信する送信装置と、送信情報を受信する受信装置とを備え、受信装置が、受信した送信情報とは別に送信者識別情報を記憶する記憶手段と、送信者識別情報の削除を指示する削除指示情報を受信したときに、記憶手段に記憶された送信者識別情報を削除する削除手段とを備え、送信装置が、受信装置に記憶された送信者識別情報の削除を要求する削除要求情報を生成する削除要求情報生成手段と、削除要求情報を受信装置に対して送信する第１送信手段とを備えたことを特徴とする。
【００１３】
本発明による受信装置は、送信者を識別する送信者識別情報を含む送信情報に含めて送信する送信装置から、送信情報を受信する受信装置であって、送信情報とは別に送信者識別情報を記憶する記憶手段と、送信者識別情報の削除を指示する削除指示情報を受信したときに、記憶手段に記憶された送信者識別情報を削除する削除手段とを備えたことを特徴とする。
【００１４】
本発明による送信装置は、送信者を識別する送信者識別情報を送信情報に含めて送信する送信装置であって、送信情報とは別に送信者識別情報を記憶する受信装置に対し、送信者識別情報の削除を要求する削除要求情報を生成する削除要求情報生成手段と、削除要求情報を受信装置に対して送信する送信手段とを備えたことを特徴とする。
【００１５】
本発明による中継装置は、送信者を識別する送信者識別情報を送信情報に含めて送信する送信装置から、送信情報を受信する受信装置に送信情報を中継する中継装置であって、送信装置から送信者識別情報の削除を要求する削除要求情報を受信したときに、受信した送信情報とは別に送信者識別情報を記憶する受信装置に記憶された送信者識別情報の削除を指示する削除指示情報を生成する削除指示情報生成手段と、削除指示情報を受信装置に送信する送信手段とを備えたことを特徴とする。
【００１６】
本発明による情報削除方法は、送信者を識別する送信者識別情報を送信情報に含めて送信する送信装置が、送信情報とは別に送信者識別情報を記憶する受信装置に対し、送信者識別情報の削除を要求する削除要求情報を生成し、削除要求情報を送信し、受信装置が、送信者識別情報の削除を指示する削除指示情報を受信したときに、記憶する送信者識別情報を削除することを特徴とする。
【００１７】
本発明による送信装置用プログラムは、送信者を識別する送信者識別情報を送信情報に含めて送信するコンピュータに搭載される送信装置用プログラムであって、コンピュータに、送信情報とは別に送信者を識別する送信者識別情報を記憶する受信装置に対し、送信者識別情報の削除を要求する削除要求情報を作成する削除要求情報生成処理、および、削除要求情報を送信する送信処理を実行させることを特徴とする。
【００１８】
本発明による受信装置用プログラムは、送信者を識別する送信者識別情報を含む送信情報を受信するコンピュータに搭載される受信装置用プログラムであって、コンピュータに、送信者を識別する送信者識別情報の削除を指示する削除指示情報を受信したときに、送信情報とは別に送信者識別情報を記憶する記憶手段から、送信者識別情報を削除する削除処理を実行させることを特徴とする。
【００１９】
本発明による中継装置用プログラムは、送信者を識別する送信者識別情報を送信情報に含めて送信する送信装置から、送信情報を受信する受信装置に送信情報を中継するコンピュータに搭載される中継装置用プログラムであって、コンピュータに、送信装置から送信者識別情報の削除を要求する削除要求情報を受信したときに、受信した送信情報とは別に送信者識別情報を記憶する受信装置に記憶された送信者識別情報の削除を指示する削除指示情報を生成する削除指示情報生成処理、および、削除指示情報を受信装置に送信する送信処理を実行させることを特徴とする。
【発明の効果】
【００２０】
本発明によれば、受信側の装置に記憶された送信者の識別情報を、送信側からの削除要求に基づいて削除することができる。
【発明を実施するための最良の形態】
【００２１】
以下、本発明の実施形態を図面を参照して説明する。
【００２２】
図１は、本発明による情報削除システムの一実施形態を示すブロック図である。本実施形態における情報削除システムは、端末１と、基地局２とを備えている。端末１と、基地局２とは通信ネットワーク１００を介して接続される。図１に示す例では２台の端末１を示しているが、端末１の台数は２台に限定されず、３台以上であってもよい。
【００２３】
以下の説明では、電話で発信される情報や電子メールで送信される情報などを送信情報と記す。また、送信情報に含まれる情報のうち、電話の発信者電話番号や、電子メールの送信元メールアドレスなど、送信元を識別するための情報を送信元情報と記す。また、送信情報を送信する端末１を送信側の端末１、送信情報を受信する端末を受信側の端末１と記す。
【００２４】
例えば、端末１が電話機である場合には、通信ネットワーク１００は電話回線網等であり、例えば、端末１が携帯端末である場合には、通信ネットワーク１００は公衆無線ネットワークや携帯電話網等であるが、通信ネットワーク１００の形態は特に限定されない。
【００２５】
端末１は、上りリンク削除要求信号生成部１０および下りリンク削除要求信号判定部１１として動作するＣＰＵ１３と、アンテナ１２と、記憶装置１４とを備えている。端末１として使用される装置の例として電話機や携帯端末などがあげられるが、端末１は電話機や携帯端末に限定されない。また、電話機は、固定電話や携帯電話などであってもよい。
【００２６】
アンテナ１２は、通信ネットワーク１００を介して、他の装置と制御信号や送信情報を送受信する。
【００２７】
記憶装置１４は、他の端末１から送信された送信元情報や送信情報、プログラム等を記憶する記憶装置である。例えば、端末１が、アンテナ１２を介して、他の端末１から送信情報を受信したときに、ＣＰＵ１３は、受信した送信情報や送信情報から抽出した送信元情報を記憶装置１４に記憶させる。
【００２８】
上りリンク削除要求信号生成部１０は、送信側の端末１から送信され、受信側の端末１に記憶された送信元情報の削除を要求するための上りリンク用制御信号を作成する。上りリンク用制御信号とは、他の装置とのコネクションの設定、および、コネクションの開放、また、下記に説明する下りリンク用制御信号に対するＡＣＫ（ACKnowledgement ）情報の送信に使用される信号のことを示す。
【００２９】
上りリンク用制御信号は、削除要求であるかどうかを示す信号（以下、削除要求種別と記す。）を含んでいる。以下の説明では、削除要求種別を「オン」に設定することが削除を要求することを意味するが、削除要求種別の設定内容は、端末１および基地局２が削除要求であることを判定できれば、この内容に限定されない。
【００３０】
また、上りリンク削除要求信号生成部１０は、削除対象を識別するための情報を上りリンク用制御信号に付加する。削除対象を識別する情報は、例えば、電話を使用した通信の場合には、発信者の電話番号であってもよいし、例えば、電子メールを利用した通信の場合には、送信者のメールアドレスであってもよいが、削除対象を識別する情報は、これらの内容に限定されない。以下、制御信号以外で、削除対象を識別するための情報等を含む部分を、誤送信情報と記す。
【００３１】
下りリンク削除要求信号判定部１１は、受信した制御信号の内容をもとに、削除指示が行われているかどうか判定し、記憶装置１４に記憶された送信者情報を削除する。以下の説明では、端末１が基地局２から下りリンク用制御信号を受信する場合について説明する。なお、下りリンク用制御信号とは、端末１の制御やフレーム同期等に利用される信号であり、基地局２から端末１に向けてマルチキャストに送信される。
【００３２】
下りリンク用制御信号は、削除が指示されているかどうかを示す信号（以下、削除指示種別と記す。）を含んでいる。以下の説明では、削除指示種別に「オン」に設定することが削除を指示することを意味するが、削除指示種別の設定内容は、端末１が削除指示であることを判定できれば、この内容に限定されない。
【００３３】
図２は、下りリンク用制御信号の例を示す説明図である。図２に示す例では、制御信号の先頭ビットに、削除指示種別として「Ｄｅｌｅｔｅ  Ｔｙｐｅ」を含んでいる。端末１の下りリンク削除要求信号判定部１１は、この「Ｄｅｌｅｔｅ  Ｔｙｐｅ」に設定された信号をもとに、削除が指示されたかどうか判定する。すなわち、「Ｄｅｌｅｔｅ  Ｔｙｐｅ」の設定がオンであるか否かにより、削除が指示されたかどうかを判定する。
【００３４】
なお、上記説明では、下りリンク用制御信号の先頭ビットに削除指示を示す信号（削除指示種別）を設定している場合を例に説明したが、受信側の端末１が、送信側の端末１からの削除指示であることを判断できれば、下りリンク用制御信号の形式は図２に示す内容に限定されない。
【００３５】
例えば、下りリンク削除要求信号判定部１１は、削除指示種別に「オン」が設定されている制御信号を受信したときに、他の端末１から削除指示があったと判定し、送信元情報を削除する。
【００３６】
また、下りリンク削除要求信号判定部１１は、記憶装置１４に記憶された送信元情報を削除したときに、削除結果を示す削除結果情報を送信側の端末１に対して送信する。削除結果情報は、例えば、ＡＣＫ情報であってもよいが、削除結果情報の内容はＡＣＫ情報に限定されない。
【００３７】
上りリンク削除要求信号生成部１０と、下りリンク削除要求信号判定部１１とは、本実施形態では、プログラムに従って動作する端末１のＣＰＵ１３によって実現される。プログラムは、記憶装置１４に記憶され、ＣＰＵ１３は、そのプログラムを読み込み、プログラムに従って、上りリンク削除要求信号生成部１０、下りリンク削除要求信号判定部１１としての動作を行う。ただし、端末１の構成は、このような構成に限定されず、上りリンク削除要求信号生成部１０と、下りリンク削除要求信号判定部１１とがそれぞれ別個の装置で実現されていてもよい。
【００３８】
基地局２は、下りリンク削除要求信号生成部２０および上りリンク削除要求信号判定部２１として動作するＣＰＵ２３と、アンテナ２２と、記憶装置２４とを備えている。基地局２は、送信側の端末１から受信した送信情報を、受信側の端末１へ送信する中継装置として動作する。
【００３９】
上りリンク削除要求信号判定部２１は、端末１から送信される上りリンク用制御信号の内容が削除要求であるかどうか判定する。例えば、上りリンク削除要求信号が削除要求を示す削除要求種別を含んでいる場合、管理端末２が、その上りリンク削除要求信号を端末１から受信すると、上りリンク削除要求信号判定部２１は、削除要求種別を確認し、削除要求種別に「オン」が設定されている場合には削除要求と判定する。また、削除要求種別に「オン」が設定されていない場合には、削除要求でないと判定する。
【００４０】
下りリンク削除要求信号生成部２０は、端末１に記憶された送信元情報を削除するための下りリンク用制御信号を作成する。例えば、上りリンク削除要求信号判定部２１が、他の端末１からの削除要求を受信したと判定すると、下りリンク削除要求信号生成部２０は、削除指示種別に「オン」を設定した下りリンク用制御信号を作成する。
【００４１】
なお、上りリンク用制御信号と下りリンク用制御信号とで、データの構成が異なる場合には、下りリンク削除要求信号生成部２０は、上りリンク用制御信号に含まれる情報（例えば、削除対象を識別する情報など）をもとに、下りリンク用制御信号を生成すればよい。
【００４２】
アンテナ２２は、通信ネットワーク１００を介して、他の装置と制御信号や送信情報を送受信する。
【００４３】
記憶装置２４は、端末１から送信された送信情報やプログラム等を記憶する記憶装置である。基地局２が、アンテナ２２を介して、端末１から送信情報を受信したときに、ＣＰＵ２３は、受信した送信情報を記憶装置２４に記憶させてもよい。
【００４４】
下りリンク削除要求信号生成部２０と、上りリンク削除要求信号判定部２１とは、本実施形態では、プログラムに従って動作する基地局２のＣＰＵ２３によって実現される。プログラムは、記憶装置２４に記憶され、ＣＰＵ２３は、そのプログラムを読み込み、プログラムに従って、下りリンク削除要求信号生成部２０、上りリンク削除要求信号判定部２１としての動作を行う。ただし、基地局２の構成は、このような構成に限定されず、下りリンク削除要求信号生成部２０と、上りリンク削除要求信号判定部２１とがそれぞれ別個の装置で実現されていてもよい。
【００４５】
なお、受信側の端末１が、送信側の端末１から直接制御信号を受信し、下りリンク削除要求信号判定部１１が、その制御信号をもとに削除指示が行われたことを判断してもよい。この場合、基地局２は備えていなくてもよい。
【００４６】
図３は、送信側の端末１が削除要求を出してから、削除完了の通知を受けるまでの処理の例を示す説明図である。送信側の端末１（ＭＳ１と記す。）が、基地局２（ＡＰと記す。）を経由し、受信側の端末１（ＭＳ２と記す。）に対して削除指示を行い、受信側の端末１が、基地局２を経由して、送信側の端末１に削除完了の通知を行う。
【００４７】
次に、動作について説明する。図４は、削除処理を開始するまでの例を示すフローチャートである。また、図５は、送信側の端末１が、削除指示を検知してから、削除完了の通知を受けるまでの処理の例を示すフローチャートである。なお、以下の説明では、上りリンク削除要求信号には、削除要求を示す信号として削除要求種別を含み、削除要求が行われるときには、この削除要求種別に「オン」が設定される場合を例に説明する。また、下りリンク削除要求信号には、削除指示を示す信号として削除指示種別を含み、削除指示が行われる時には、この削除指示種別に「オン」が設定される場合を例に説明する。
【００４８】
以下、図４の例に示すように、送信側の端末１の使用者の指示に応じて、受信側の端末１に送信元情報が通知された後（ステップＳ１１）、端末１の使用者が、誤送信であったと判断した場合（ステップＳ１２）の処理について説明する。
【００４９】
図５の例に示すように、例えば、送信側の端末１の使用者の指示に応じ、端末１が削除要求の操作を検知すると（ステップＳ１３におけるＹＥＳ）、上りリンク削除要求信号生成部１０は、上りリンク用制御信号の削除要求種別に「オン」を設定した上りリンク用制御信号を生成する。上りリンク削除要求信号生成部１０は、生成した上りリンク用制御信号に削除対象を識別する情報を誤送信情報に付加して基地局２に送信する（ステップＳ１４）。なお、使用者からの削除要求の操作を検知しなかった場合には（ステップＳ１３におけるＮＯ）、送信側の端末１は、受信側の端末１に対する削除要求は行わない。
【００５０】
基地局２が上りリンク用制御信号を受信すると、上りリンク削除要求信号判定部２１は、通常の上りリンク用制御信号であるか、削除要求用の上りリンク用制御信号であるか判定する（ステップＳ１５）。上りリンク削除要求信号判定部２１が、上りリンク用制御信号の削除要求種別に「オン」が設定されていると判定した場合（ステップＳ１５におけるＹＥＳ）、下りリンク削除要求信号生成部２０は、削除指示種別に「オン」を設定した下りリンク用制御信号を作成する。また、下りリンク削除要求信号生成部２０は、上りリンク用制御信号の誤送信情報に含まれる削除対象を識別する情報を、作成した下りリンク用制御信号の誤送信情報に付加する。下りリンク削除要求信号生成部２０は、受信側の端末１に対して下りリンク用制御信号を送信する（ステップＳ１６）。なお、上りリンク用制御信号の削除要求種別に「オン」が設定されていない場合には（ステップＳ１５におけるＮＯ）、下りリンク削除要求信号生成部２０は、下りリンク用制御信号を作成しない。例えば、基地局２が削除要求以外の制御信号を受信した場合には、下りリンク削除要求信号生成部２０は、下りリンク用制御信号を作成せずに、処理を終了する。
【００５１】
受信側の端末１が、下りリンク用制御信号を受信すると、下りリンク削除要求信号判定部１１は、通常の下りリンク用制御信号であるか、削除指示用の下りリンク用制御信号であるか判定する（ステップＳ１７）。下りリンク削除要求信号判定部１１が、下りリンク用制御信号の削除指示種別に「オン」が設定されていると判定した場合（ステップＳ１７におけるＹＥＳ）、下りリンク削除要求信号判定部１１は、削除対象を識別する情報をもとに、記憶装置１４に記憶されている送信元情報を削除する（ステップＳ１８）。なお、下りリンク用制御信号の削除指示種別に「オン」が設定されていない場合には、（ステップＳ１７におけるＮＯ）、下りリンク削除要求信号判定部１１は、処理を終了する。例えば、受信側の端末１が削除要求以外の制御信号を受信した場合には、下りリンク削除要求信号判定部１１は、送信元情報を削除することなく処理を終了する。
【００５２】
下りリンク削除要求信号判定部１１が送信元情報を削除すると、下りリンク削除要求信号判定部１１は、削除が完了したことを示すＡＣＫ情報を基地局２に対して送信する（ステップＳ１９）。基地局２がＡＣＫ情報を受信すると、上りリンク削除要求信号判定部２１は、削除が完了したことを示すＡＣＫ情報を送信側の端末１に送信する（ステップＳ２０）。
【００５３】
本発明によれば、送信側の端末１が、受信側の端末１に対し、送信元情報の削除を要求する上りリンク用制御信号を生成し、送信側の端末１が、上りリンク用制御信号を送信し、受信側の端末１が、送信元情報の削除を指示する下りリンク用制御信号を受信したときに、記憶装置１４に記憶する送信元情報を削除する。そのため、受信側の装置に記憶された送信者の識別情報情報を、送信側からの削除要求に基づいて削除することができる。
【００５４】
また、例えば、受信側の端末１が電話網には接続されているが、インターネットには接続されていない電話機等である場合、その電話機に電子メールを利用して削除要求を行うことはできない。
【００５５】
しかし、本発明によれば、送信側の端末１が、制御信号を利用して送信元情報の削除を要求し、受信側の端末１が、その制御信号を検知して送信元情報を削除する。そのため、送信側の端末１が、送信元情報の削除を要求する制御信号を電話網を介してその電話機に送信することにより、受信側の端末１は、その制御信号を検知でき、受信側の端末１に記憶された送信元情報を削除することができる。
【００５６】
すなわち、制御信号を利用して削除要求を送信することにより、電子メールを利用して削除要求を送信するよりも、より多くの端末に対して削除要求を伝えることができる。
【００５７】
次に、本発明による情報削除システムの変形例について説明する。上記実施形態では、下りリンク削除要求信号判定部１１が、記憶装置１４に記憶された送信者情報を削除する場合について説明したが、下りリンク削除要求信号判定部１１は、送信者情報をもとに記憶装置１４に記憶された送信情報を削除してもよい。
【００５８】
例えば、記憶装置１４が送信情報として電子メールを記憶している場合であれば、下りリンク削除要求信号判定部１１は、削除指示とともに送信者のメールアドレスを受信したときに、そのメールアドレスから送信された電子メールを記憶装置１４から削除してもよい。
【００５９】
また、電子メールを識別する情報は、送信者のメールアドレスに限られない。例えば、上りリンク削除要求信号生成部１０が、送信者のメールアドレス以外の識別情報を誤送信情報に付加して削除要求を行った時に、下りリンク削除要求信号判定部１１は、その識別情報をもとに電子メールを削除してもよい。
【００６０】
図６は、本発明における情報削除システムの概要を示すブロック図である。本発明による情報削除システムは、送信者を識別する送信者識別情報（例えば、送信元情報）を送信情報に含めて送信する送信装置８０（例えば、送信側の端末１）と、送信情報を受信する受信装置９０（例えば、受信側の端末１）とを備えている。
【００６１】
受信装置９０は、受信した送信情報とは別に送信者識別情報を記憶する記憶手段９１（例えば、記憶装置１４）と、送信者識別情報の削除を指示する削除指示情報（例えば、下りリンク用制御信号の削除指示種別）を受信したときに、記憶手段９１に記憶された送信者識別情報を削除する削除手段９２（例えば、下りリンク削除要求信号判定部１１）とを備えている。
【００６２】
送信装置８０は、受信装置９０に記憶された送信者識別情報の削除を要求する削除要求情報（例えば、上りリンク用制御信号の削除要求種別）を生成する削除要求情報生成手段８１（例えば、上りリンク削除要求信号生成部１０）と、削除要求情報を受信装置に対して送信する第１送信手段８２（例えば、上りリンク削除要求信号生成部１０）とを備えている。
【００６３】
そのような構成により、受信側の装置に記憶された送信者の識別情報を、送信側からの削除要求に基づいて削除することができる。
【００６４】
また、上記実施形態には、受信装置９０が、記憶手段９１に記憶された送信者識別情報を削除したときに、削除結果を示す削除結果情報（例えば、ＡＣＫ情報）を送信装置に対して送信する第２送信手段を備えた構成が開示されている。
【００６５】
そのような構成により、送信側の装置は、受信側の装置に記憶された送信者の識別情報が削除されたことを検知することができる。
【００６６】
また、上記実施形態には、送信装置８０から受信した送信情報を受信装置９０に送信する中継装置（例えば、基地局２）を備え、中継装置が、送信情報に削除要求情報が含まれているときに、削除指示情報（例えば、下りリンク用制御信号）を生成する削除指示情報生成手段（例えば、下りリンク削除要求信号生成部２０）と、削除指示情報を受信装置に対して送信する第３送信手段（例えば、下りリンク削除要求信号生成部２０）とを備えた構成が開示されている。
【００６７】
また、削除要求情報および削除指示情報は制御信号であってもよい。そのような場合、電子メールを利用して削除要求を送信するよりも、より多くの端末に対して削除要求を伝えることができる。
【００６８】
また、送信装置および受信装置は電話機であってもよい。
【産業上の利用可能性】
【００６９】
本発明は、受信装置に記憶された送信者の識別情報を削除する情報削除システムに好適に適用される。
【図面の簡単な説明】
【００７０】
【図１】本発明による情報削除システムの一実施形態を示すブロック図である。
【図２】下りリンク用制御信号の例を示す説明図である。
【図３】削除要求が出されてから、削除完了の通知があるまでの処理の例を示す説明図である。
【図４】削除処理を開始するまでの例を示すフローチャートである。
【図５】本発明による削除処理の例を示すフローチャートである。
【図６】本発明における情報削除システムの概要を示すブロック図である。
【符号の説明】
【００７１】
１  端末
２  基地局
１０  上りリンク削除要求生成部
１１  下りリンク削除要求判定部
１２、２２  アンテナ
１３、２３  ＣＰＵ
１４、２４  記憶装置
２０  下りリンク削除要求生成部
２１  上りリンク削除要求判定部
１００  通信ネットワーク
【図１】
2010049617.tif 000003
【図２】
2010049617.tif 000004
【図３】
2010049617.tif 000005
【図４】
2010049617.tif 000006
【図５】
2010049617.tif 000007
【図６】
2010049617.tif 000008